(57)【要約】      （修正有）【課題】水に溶解しているミネラル成分が噴霧用ノズルや蒸発エレメントに堆積して運転継続に支障を来たすことがなく、頻繁なメンテナンスか、高価なミネラル成分除去装置が不要な水蒸発式冷風装置を提供する。【解決手段】可撓性素材で構成され水の噴出反力によって自励振動を起こすことで付着・蒸発によるミネラル堆積が起こらないノズル２を用いて、小粒径の水滴群を気流中に噴出し、送風装置３により水滴表面から直接蒸発させることで蒸発エレメント等を用いずに冷風を得る装置と、蒸発速度の早いミスト噴霧装置とを組合せる。ミスト噴霧装置のミネラル成分蓄積による運転支障時に於いても、自励振動ノズルによる水滴群噴出による冷却運転の継続が可能であり、メンテナンス頻度を減らし、かつ高価なミネラル除去装置を用いなくても、ベースとなる冷却能力を維持した連続運転が可能となる。【選択図】図１
0003224290.tif 000002
【実用新案登録請求の範囲】
【請求項１】
水と空気とを接触させることで水の蒸発により空気を冷却する原理の装置であって、
自立すると共に吸気口と送気口を備えた筐体と、前記筐体の中の送気口近傍に設定された冷却エリアに水滴群を噴射するノズルと、前記冷却エリアに前記吸気口からの空気を通過させて前記水滴群と接触させる送風装置と、前記ノズルに対して水源となるタンクと、前記タンクの水を吸引して前記ノズルに水を供給する配管及びポンプとからなる送水手段と、
前記散布された水滴群を受け、前記タンクに水を戻す水路を持つ受水手段を備えた冷風装置であって、
前記ノズルは、水供給源に接続され可撓性部材で形成されると共にノズル外部に向けて水を噴射する先端開口部を有するフレキシブルチューブを備え、該フレキシブルチューブが水の噴射による反動で自励振動をしながら水滴群を散布する自励振動ノズルである冷風装置において、
前記送風装置は首振り機構を持ち、前記筐体の送気口は前記首振り送風装置の首振り角度に対応した角度よりも広く開口していることを特徴とする水蒸発式冷風装置。
【請求項２】
上記受水手段の水滴受け装置が、保水性を持つメッシュ構造材等で構成され、毛細管現象が前記水をタンクに戻す水路の機能を担うことを特徴とする請求項１項に記載の水蒸発式冷風装置。
【請求項３】
上記受水手段の水滴受け装置が保水性を持つメッシュ構造体に、銀等の殺菌作用を持つ物質を担持したものであることを特徴とする請求項２項に記載の水蒸発式冷風装置。
【請求項４】
上記冷風装置に、噴霧ノズルを設け、該噴霧ノズルへの水の供給を前記自励振動ノズルへの水供給とは独立して運転可能としたことを特徴とする請求項第１項に記載の水蒸発式冷風装置。
【考案の詳細な説明】
【技術分野】
【０００１】  本考案は、水の蒸発潜熱を利用した冷風装置に関するのもで、水道水を供給し屋内や半屋外もしくは屋外において本冷風装置の近傍周辺に冷房効果をもたらす冷風装置に関する。
【背景技術】
【０００２】  本考案の冷風装置は、密閉が困難な屋内や東屋等の半屋外もしくは屋外のように、装置が送気した冷気が滞留しにくい環境で使用され、装置の周辺領域を冷房するためのものである。【０００３】  従来は、このような目的には、濡れないとされる超微細粒径のミストを空中に噴霧して蒸発潜熱で空気を冷却する（特許文献１）か、透水性や保水性の機能を施した路面に対して散水もしくは水を浸透させていわゆる打ち水効果によって涼感を得るもの（特許文献２）だった。
前者のミスト噴霧方式はミストが風に流されやすく、冷却を目的としたい領域にミストやミストが蒸発して冷却された空気が滞留しにくいという欠点がある。
後者の打ち水方式では、路面の舗装工事を伴う為、工事費用が嵩むことと冬期に路面が凍結するような地域では実施しにくく、またイベント会場や通年は使用しない場所等への導入もしにくいという欠点がある。【０００４】  一般的には、濡れないミストを発生させる方法として、
１）水を高圧で噴霧する高圧噴霧ノズルを用いる方法
２）水と空気を同時にノズルから噴出して空気で水滴を粉砕する２流体ノズルを用いる方法
３）超音波振動子を用いた方法
などが代表的である。
１）の高圧噴霧ノズルを用いる方法は、ミストを生成するノズルが軽量でコンパクトであり、既存の支柱や軒先の梁などに容易に設置可能な特徴がある。その為に、遊歩道などへの設置が盛んであるが、問題点で指摘した通り、水道水に含まれるミネラル成分がノズルを詰まらせるという欠点がある。メンテナンスを頻繁に行うか、ミネラル成分を除去する高価な装置を使う必要がある。
２）の２流体ノズルも、軽量でコンパクトであるが、空気の噴流が発生する騒音が大きく、新たに騒音対策を講じる必要があるという欠点がある。
３）の超音波式霧化装置は、低電力で大量のミストを発生させられるが、超音波振動子の上に自由水面を作る必要があり小型化や軽量化が難しく既存の支柱や梁に設置しにくい。更にミスト発生近傍の水はミネラル成分の濃度が上がるために、ミネラル成分が析出して超音波振動子の寿命を短くする欠点がある。【０００５】  ミスト方式は、一般的に水道水に含まれるミネラル成分の一部がミスト発生装置に堆積して詰まらせ、残りの大半はミストと共に散布される。散布されたミネラル成分は細かい粉末として気流に乗り、密閉性の高い良い室内では壁や室内に設置されている機器の表面に付着する。精密機械や光学機器の表面に付着すると、摩耗促進や光量変化等の不具合の原因となる。このため、このような密閉性の高い場所に向けては、軟水を供給するか水道水のミネラルを除去する装置を併用することが求められる。
本願出願人による「流体注入装置」を応用した冷風装置では、自励振動ノズルから粒径が１ｍｍ程度の水滴群を空気流に注入することで水滴の表面からの蒸発で空気を冷却し、水滴を蒸発しきらない状態で回収してミネラル成分が空気中に散布されない装置として提案した。該発明では、冷気をダクトから送気する方法であるため、本考案の目的とする半屋外等に設置した場合、ダクトの噴き出し口近傍しか冷却効果を得られない可能性がある。（特許文献３）【０００６】  ミスト方式に依らない方式では、水滴群の水滴表面からの蒸発や、蒸発エレメントを濡らしながら流れ落ちる水膜からの蒸発を利用するが、蒸発しきれなかった水は回収されて再利用される。再利用される水は空気と触れた結果、空気中に浮遊する微細な埃や雑菌などを補足吸着する。したがって、回収された水をろ過や殺菌するための手段を持つのが一般的である。専用のろ過器や殺菌処理器を持ち、この処理機に対して回収水を送出するポンプや水路を専用で持たせることになり、装置が複雑化する。（特許文献４）【０００７】  冷風装置は、送風機に水蒸発装置を付加した開放型と、送風機や水蒸発装置などを箱型のキャビネットに収納したものと、送風装置を持たないミスト発生だけのものに大別される。
送風機に水蒸発装置を付加したものは（例えば特許文献５）構造が簡単であるが高速で回転するファンなどが見えるために威圧感があり何処でも設置できるものではない。
キャビネットに収納するものは、回転物が見えないので安心感が高く、キャビネットの外観を周囲に調和させやすい。一般的に送風口に可動式のルーバーが備わり、水平方向に送風方向を変えられる機構を持たせて広範囲に冷風を往き渡らせるものが多い。しかし、稼働ルーバーには、ルーバーを構成する翼の一枚毎に軸受があり、かつ多数の翼を連動して動かす為のリンクと連結させる必要があり、可動部の多さが故障の多さの要因となる欠点がある。
送風装置を持たない方式では、冷風の行き先は風任せとなり、折角ミストを噴出しても人がいる場所に届かない事が起こる。【０００８】  本考案が提供しようとする冷却装置では自励振動ノズルから勢いよく噴出された水滴群は、送風機が発生した空気流と接触して水滴表面から水滴の一部が蒸発して水滴のまま落下するので、この水滴を受けてタンクに戻す手段が必要である。
水滴群を装置内で噴射する装置の一つに、食器洗い機があるが、水滴が勢いよく装置の内壁に衝突することで発生する音や振動が大きいと言う欠点がある（特許文献６）とされ、水滴回収手段が食器洗い機の騒音問題と似た問題を抱える事になる。
【先行技術文献】
【特許文献】
【０００９】
【特許文献１】特許第４４８８５１０号公報
【特許文献２】特開２００５−２３２９３９公報
【特許文献３】特開２０１７−２３９２８公報
【特許文献４】特開平１１−６３５８２公報
【特許文献５】実開５１−７００５７号公報
【特許文献６】特許第４４１６７０３公報
【考案の概要】
【考案が解決しようとする課題】
【００１０】  以上の課題を要約する。
機構部が見えることで威圧感を与えない為に、冷風の噴出し口にルーバーを設けたキャビネット型の水冷却式冷風装置では、
・水道水を微小径のミストにして噴霧する噴霧ノズルでは、水道水に含まれるミネラル成分が、該ノズルを詰まらせるため、定期的なメンテナンスが必要となる。
・水道水を水膜や水滴の表面から蒸発させる方式では、水の再利用に際して水が空気から補足した埃や雑菌を除去・処理する手段と、この手段に水を循環させる専用のポンプや送水路が必要となる。
・水滴群の水滴表面で気化させる方式では、水滴群を回収して再利用するが、水滴群を回収する装置に水滴群が衝突する際に騒音の発生元となるため、その対策が必要となる。【００１１】  本考案では、水道水のミネラル成分がノズルに析出しない自励振動ノズルを用いて水滴群を、送風機による気流に注入接触させて水滴の表面からの蒸発を促進して水の蒸発潜熱により前記気流の気温を下げる構成を主たる手段とし、水道水を微小粒径のミストにして噴霧する噴霧ノズルによるミストの蒸発による空気の温度を下げる構成を従たる手段として、水道水に含まれるミネラル成分がノズルに析出することで予期しない運転停止となる状況を回避することを特徴とする冷風装置である。【００１２】  また、多翼のルーバーの揺動機構では、多くの軸受によって故障率が高くなるが、本考案では送風機の起風部分を揺動させる方式のため、可動部が最少となり故障率を下げる事が出来る。【００１３】  更に、蒸発用の水を再利用する方式では、水が空気と接触する際に、吸気用フィルターでは除去しきれない微細な埃や雑菌などを水が補足し汚れる原因となるため、埃を除去する処理装置や、殺菌装置に通すための専用のポンプや送水管などを別途準備しなければならない。
本考案では空気との接触の終わった水滴群をメッシュ状構造層で形成された水滴受け装置が、フィルターと殺菌作用を担い、メッシュ層の毛細管現象によって補足された水は下部に位置するタンクに戻されるため、別途専用の循環ポンプや水路を必要としない。また、水滴をメッシュ構造で受けるため、騒音発生を抑えられるために別途騒音防止策を必要としない為シンプルな構造となることを目的とする。
【課題を解決するための手段】
【００１４】  請求項１は、水と空気とを接触させることで水の蒸発により空気を冷却する原理の装置であって、
自立すると共に吸気口と送気口を備えた筐体と、
前記筐体の中の送気口近傍に設定された冷却エリアに水滴群を噴射するノズルと、
前記冷却エリアに前記吸気口からの空気を通過させて前記水滴群と接触させる送風装置と、
前記ノズルに対して水源となるタンクと、
前記タンクの水を吸引して前記ノズルに水を供給する配管及びポンプとからなる送水手段と、
前記散布された水滴群を受け、前記貯水槽に水を戻す水路を持つ受水手段を備えた冷風装置であって、
前記ノズルは、水供給源に接続され可撓性部材で形成されると共にノズル外部に向けて水を噴射する先端開口部を有するフレキシブルチューブを備え、該フレキシブルチューブが水の噴射による反動で自励振動をしながら水滴群を散布する自励振動ノズルである冷風装置において、
前記送風装置は首振り機構を持ち、前記筐体の送気口は前記首振り送風装置の首振り角度よりも広く開口していることを特徴とする水蒸発式冷風装置である。【００１５】  請求項２は、上記受水手段の水滴受け装置が、保水性を持つメッシュ構造材等で構成され、毛細管現象が前記水をタンクに戻す水路の機能を担うことを特徴とする請求項１項に記載の水蒸発式冷風装置である。【００１６】  請求項３は、上記受水手段の水滴受け装置が保水性を持つメッシュ構造体に、銀等の殺菌作用を持つ物質を担持したものであることを特徴とする請求項２項に記載の水蒸発式冷風装置である。【００１７】  請求項４は、上記冷風装置に、噴霧ノズルを設け、該噴霧ノズルへの水の供給を前記自励振動ノズルへの水供給とは独立して運転可能としたことを特徴とする請求項第１項に記載の水蒸発式冷風装置である。
【考案の効果】
【００１８】  この考案では、水滴群を空気流中に噴射注入する自励振動ノズルの運転を予定された稼働時間内で継続運転させ、微細水滴のミストを噴霧するノズルの運転を必要に応じて冷風増加の目的などとして限定的な運転とすることで、使用する水道水に含まれるミネラル成分が噴霧ノズルに析出して運転停止に至る期間を延長し、かつ、予期しない時に運転不能となっても、基本的な冷風の提供を継続可能とすることができる。
また、水を循環利用するに際して、水滴群を受ける手段を構成する材料として、殺菌機能材を担持したメッシュ構造体を用いるため、水滴が補足した微細な埃や雑菌をろ過や殺菌すると共に、水滴の衝突騒音を防止し、かつメッシュ構造体の毛細管現象によって捕獲した水滴をタンクに戻すことができ、ろ過専用の水路やポンプを設ける必要がなく、簡素な構成とすることが可能となった。
【図面の簡単な説明】
【００１９】
【図１】本考案に係る冷風装置１の第Ｉ実施形態を示す全体図で、一部を破断して描いた斜視図である。
【図２】第１図に示した第１の実施形態を構成する水系と制御系のシステム図である。第２の実施例、第３の実施例で使用する系統を破線枠で囲って示してある。
【図３】第２の実施例を示す外観斜視図である。
【図４】第１と第２の実施例を組合せた形態を示す外観斜視図である。
【考案を実施するための形態】
【００２０】  〔第１実施形態〕
以下に、図１〜図２に基づいて、本考案に係る冷風装置の第１実施形態を説明する。
【００２１】  図１は、冷風装置１を示す全体図であり、装置を正面斜め右側面から見て外装部の一部を破断した断面図として示してあり、図２は図１に示した第１の実施形態を構成する水系と制御系のシステム図である。第２の実施例、第３の実施例で使用する系統を破線枠で囲って示してある。
【００２２】  本第１の実施形態の冷風装置１は、空気を吸入・送出する首振り送風機３と、この首振り送風機３によって作られる空気流（図示せず）に対して、水道水を小径の水滴群として噴出・注入する複数本の自励振動ノズル２と、前記空気流の空気と接触・落下した水滴群を受けてタンク５に戻すメッシュ構造で作られた水滴受け装置６と、タンク５内の水を前記自励振動ノズル２に送出する水路（図示せず）やポンプ４と、これらを収納するキャビネット７と、このキャビネット７に設けられた吸気フィルター９と、送風口の設けられたルーバー１１とを備え、密閉の困難な広い室内や、東屋などの半屋外、もしくは公園やバス停などの屋外に設置して使用されるもので、随時設置場所の変更が求められても移動・再設置が容易で、突発的な停止に依る緊急メンテナンスの起こらない局所的冷風環境を提供する装置である。
【００２３】  ポンプ４から前記の自励振動ノズル２に供給される水圧は、本願発明人の実験に依れば、０．２乃至０．３Ｍｐａという低圧であり、これは一般の水道の水圧よりも低く、ポンプ４や水路（図示していない）に係る圧力も低いため、低圧用の機材を用いることができる。
【００２４】  この冷風装置１は、可撓性素材で形成されると共に、先端に水を噴出するフレキシブルチューブ部を有する自励振動ノズル２（以下、自励振動ノズルと称する）を備えて構成され、さらにこの自励振動ノズル２が噴出する小径の水滴群を、首振り送風機３が送風する気流中に注入するように空気流の上部に配設した構造となっている。
【００２５】  ここで、自励振動ノズル２は、本願出願人が出願した「特開２０１３−２３８０６０号公報」に開示したノズルを応用したもの。また、本願出願人が出願して特許登録された「特許第４７１１１１２号」に開示したノズルと略同様の形状、自励振動を起こすものが用いられている。
【００２６】  この自励振動ノズル２に対して、タンク５の中の水道水をポンプ４によって供給する水路群（図示せず）があり、自励振動ノズル２が噴出した小径の水滴群が前記空気流中に注入され、空気と接触することで水滴表面から水の蒸発を伴いながら落下通過する。このような小径の水滴群を空気流中に注入する方式の冷風装置は、本願出願人が出願した「特願２０１５−１４４１９６号公報」に開示した流体注入撹拌装置の応用例である冷風機に略同じである。
【００２７】  落下通過した小径の水滴群は、水滴受け装置６によって捕捉される。この水滴受け装置６は、メッシュ構造層で形成され、ゆるやかな傾斜の漏斗状を成して（図２においてその漏斗形状のイメージを表現している）、その下端部がタンク５の中に達している形状となっている。このため、水滴受け装置６に捕捉された水滴は、メッシュによって衝突衝撃が緩和されると共にろ過されながらメッシュの毛細管現象によって下層に流れ、タンク５の中に流れ落ちる。
また、この水滴受け装置６の構造体を構成する細線もしくは繊維状のステンレス金属などに殺菌機能を持つ銀などを担持することにより、前記水滴群が前記空気流と接触した際に空気から捕捉した雑菌等を殺菌することができる。
【００２８】  また、水滴受け装置６の両サイドに側板（図示せず）を配すことが求められる場合がある。前記自励振動ノズル２が噴出する水滴群は概ね扇状に飛散し、この扇状の幅はポンプ４から送られる水圧によって調整が可能であるが、外乱の強い風が前記ルーバー１１から吹き込む等した場合に、前記水滴群の一部が予定の飛散軌跡を脱する可能性があり、その際にこの側板によって水滴を受けるものである。強風が吹かない環境に設置する場合は、設けなくてもよい。
【００２９】  以上の冷風発生機構を、キャビネット７に収めている。このキャビネット７は、前記首振り送風機３の吸気側の壁に吸気フィルター９を、送風出口側にルーバー１１を備えているために、冷風発生機構は基本的に露出しない構成としている。
【００３０】  更に、前記首振り送風機３は、送風機能を発揮するファンの向きを揺動するいわゆる首振り機能を備えたものであり、前記送風口のルーバー１１は正面と左右側面に渡って開口部を持つため、この首振り送風機３が揺動して送風する角度に十分対応した開口幅を持つ。従って、本冷風装置１は、ルーバーが固定でも広範囲に冷風を届けることができ、外観上可動部を露出させない。
【００３１】  また、該キャビネット７の外装のキャビネット外板８に木材を利用した例で示してあるが、キャビネット型の冷風装置が植栽等配置した環境に溶け込みやすい外観を提供でき、可動部の非露出と相まって威圧感防止を越えた環境適合性を提供できる。
【００３２】  第２図は、本冷風装置１の水系と制御系の系統を示すシステム図である。一点鎖線で囲った部分は、第２、第３の実施態様で用いる部分として併記したものである。
【００３３】  ポンプ４はタンク５から水道水を吸引し、自励振動ノズル２へ送水する。自励振動ノズル２が噴出した小径の水滴群は、空気流（図示せず）と接触した後、水滴受け装置６で捕捉され、前記タンク５に毛細管現象によって戻すことができる。
【００３４】  前記タンク５には、水位センサ１３が設けられ、水位センサ１３の出力は制御装置１４に入力され、例えば、警報（図示せず）を表示したり、ポンプ４の空転を防止するために運転を停止したりすることができる。一般的に行われる制御であり、詳述は略す。
【００３５】  制御装置１４には、公知の人感センサ１５を接続することもでき、人感センサ１５の出力に依って、予定された可動時間帯であっても人が居ないと判断して前記ポンプ４と前記送風機３の運転を制御して冷風発生能力の増減を調整することができる。
【００３６】  〔第１実施形態の効果〕
以上のような構成の第１の実施態様の冷風装置１によれば、次のような効果が得られる。
【００３７】（１）可撓性を有する素材で形成された自励振動ノズル２では、水道水に含まれるミネラル成分の析出がないため、ノズル詰まりによる予期しない時期の運転停止が起こらない冷風装置１を提供できる。
【００３８】（２）水の表面から蒸発させる冷風方式では、再利用した水を放置すると空気との接触に依って捕捉した埃や雑菌でタンク水が汚れるため、ろ過装置や殺菌装置を併設し、この処理装置にタンクの水を循環送水するための専用の水路やポンプが必要となるが、本装置では水滴受け装置６とその配置が役目を果たす為に、専用水路やポンプなどを必要としない。従って簡素な構成でメンテナンスの対象が少なく維持管理の容易な冷風装置１を提供できる。
【００３９】（３）冷風を提供する領域を広げるために、多翼のルーバーを揺動させる方式では無く、キャビネットに内蔵する送風機を首振り（揺動型）とすることで、ルーバーの翼と連動用リンクを含めた多数の軸受の故障の心配がなく、メンテナンスが容易となる冷風装置１を提供できる。
【００４０】（４）冷風を発生する機構や送風範囲を広げる揺動装置を含めた、全ての可動部をキャビネットに収めたため、機構の露出による威圧感の無い冷風装置を提供できる。実施態様の図では、キャビネット７の表面材であるキャビネット外板８に木材を用いた例で示してあるが、このようにキャビネットの外表面に木材の他に竹や蔓性植物等の自然素材を配することで、植栽や、それを囲う自然素材で柵を設置している公園などで使用する場合にフィットしやすい機能部の露出の無い冷風装置１を提供できる。
【００４１】  〔第２の実施態様〕
図３に基づいて、本考案による冷風装置の第２の実施態様を説明する。
【００４２】  図３は、第２の実施態様の冷風装置２０を示す外観斜視図である。第２の実施態様では、第１の実施態様の構成に対して、微細な水滴をいわゆる濡れないミストとして噴霧する噴霧ノズル２５（図１では図示せず。図２の破線囲み内）を１乃至は複数本組合せた仕様とした例である。本例では、前記噴霧ノズル２５をノズルアダプタ付き支柱２２の頂上に装着して粗いメッシュなどで形成した化粧カバーで覆ってある。尚、該化粧カバーはいわゆる鳥害（クチバシによるつつきや糞害など）の防止を主としたものであり、被害の恐れのない場所では装着しないことも可能である。キャビネット２１本体は、外装部分に木製の板を間隔を空けて縦張りとした仕様とし、縦張りの板の隙間がルーバーの役割も果たしている。
【００４３】  第２の実施態様では、送風の向きを一旦上側に誘導し、傘型の風向変更ドーム２３によって下向きの風向として、冷気がキャビネット２１の上面付近に滞留しやすい仕様となっている。前記ノズルアダプタ付き支柱２２は、キャビネット２１の上面のほぼ中心から直立装着してあり、所定の高さに前記噴霧ノズル２５が位置する。
【００４４】  また、前記噴霧ノズル２５を前記キャビネット２１内の下部に設けて、床面もしくは路面に沿ってミストが流れるように配置することもできる。
【００４５】  次に、第２の実施態様の動作を図２のシステム図において一点鎖線で囲った部分も含めて説明する。
【００４６】  ポンプ２４はタンク５から水道水を吸引して噴霧ノズル２５に水道水を圧送する。このポンプ２４の水圧は、一般的に水滴の粒径が１０ミクロン〜２０ミクロンであれば濡れないとされる噴霧を維持するために、例えば６ＭＰａなどの高圧で供給される。
【００４７】  第１の実施態様で示したポンプ４と自励振動ノズル２を用いた水の蒸発による冷風発生機構は、本冷風装置の計画された稼働時間帯では常時運転状態とし、前記人感センサ１５の入力信号によって前記制御装置１４が人の接近を認識した場合に、ポンプ２４を駆動して前記噴霧ノズル２５に送水するような制御仕様になっている。従って、本冷風装置２０に人が接近すると、前記ノズルアダプタ付き支柱２２の頂上にある噴霧ノズル２５からミストが噴霧され、本冷風装置２０の周囲空間の冷房能力を一時的に増大することができる。
【００４８】  また、制御装置１４に備わるタイマー（図示せず）を用いて、前記ポンプ２４を定期的に間欠運転するように設定することで、本冷風装置２０の近傍に人が居ない場合にも前記噴霧ノズル２５からミストを噴出することが出来る。このミストは、噴霧直後しばらくは白色を呈しており、前記ノズルアダプタ付き支柱の頂上が高い位置にあるので、少し離れた場所にいる人に対して、冷風装置が存在を案内するサインとして働く。
【００４９】  さらに、この制御装置１４には、外部接続インターフェース１６が備わっていて、本冷風装置を複数台並べて運転する場合に、この外部接続インターフェース１６を互いに結線することで、連携した運転が可能となる。マスター・スレーブの関係を与えて制御することは一般的に行われる方法であり、ここでは説明を割愛する。
実施態様１に対しての新たな制御内容は、前記制御装置１４の制御内容として組み込まれていればよく、別体の制御装置に依らなくても実現が可能であり、このような仕様の拡大性は制御装置の一般的な機能である。
【００５０】  〔第２実施態様の効果〕
以上のような構成の第２実施態様の冷風装置２０によれば、前記の各効果同様、次のような効果を得ることができる。
（５）本冷風装置２０を例えばバス停などの近傍に設置すると、バスを待つ人や降車した人が居る時に、ミストの噴霧によって一時的に冷房能力を増大することが可能である冷風装置２０を提供できる。
（６）噴霧ノズル２５は水道水に含まれるミネラル成分の析出によって詰まり易いために、定期的なメンテナンスを必要とするが、連続運転では無い稼働方式であるのでメンテナンスの間隔を広げることが可能である冷風装置２０を提供できる。
（７）噴霧ノズル２５が万一詰まった場合でも、ポンプ４と自励振動ノズル２による冷風発生機能は運転を維持できるため、冷風を全く提供できなくなるリスクを負わない冷風装置２０を提供できる。
（８）噴霧ノズル２５を間欠運転することで、ノズルアダプタ付き支柱２２をアピールして、涼を求めたい人に対してのサインを出すことで、利用者への便を図れる冷風装置２０を提供できる。
【００５１】  〔第３実施態様〕
図４に基づいて第３の実施態様の説明をする。
第３の実施態様では、前記第２の実施態様の構成に対して、前記ノズルアダプタ付き支柱２２を用いずにキャビネット７又は２１の前面の底板１０付近に、前記噴霧ノズル２５を設置し（ノズル位置は図示せず）床または路面に沿うように下部ミスト２６を噴霧するようにしたものである。
また、前記キャビネット７又は２１の前面下部に張り出しを設けて長椅子風の座面として形成した例としてあり、前記ミストは前記長椅子風の足元付近から流れ出るようになる。
この第３の実施態様でキャビネット７の一部を長椅子状にする場合、前記キャビネット２１の外販の張る向きは長椅子に適した横張りとするなど、意匠性と機能性を考慮して自由に選択されるものである。
前記制御装置１４の同左内容は概ね前記第２の実施例に準じたもので構わない。
【００５２】  更に、図４はこの長椅子風の座面を持つ冷風装置２６の両サイドに前記第２の実施態様の冷風装置２０を配置した状態も示している。
図２に記載の制御装置１４に設けられた外部接続インターフェース１６を両サイドに設置した第２の実施態様と相互に結線することが出来るので、例えば長椅子風のキャビネット７または２１を持つ装置をマスターとし、両サイドの第２の実施態様の冷風装置をスレーブ型とすれば、装置毎の制御内容をいちいち設定する必要が省ける。
尚、前記の相互に結線することとは、有線による方法に限らず、近距離無線通信などを含めた通信方式による接続を指す。無線通信方式によれば、冷風装置群の設置や配置換え等を容易に行え、また遠隔操作も行えるため、人の集まり具合に応じた臨機応変な運転が容易となる。
【００５３】  〔第３の実施態様の効果〕
以上のような構成の第３実施態様の冷風装置２０によれば、前記の各効果同様、次のような効果を得ることができる。
（９）本冷風装置を複数組み合せて配置することで、冷風の滞留を促すことができる冷風装置１または２０を提供できる。
（１０）本冷風装置を複数組み併せて配置することで、屋外では風による冷風の吹き飛ばしなどを回避しやすくなる冷風装置１または２０を提供できる。
（１１）足元からミストを噴出することで、冷却だけでなく視覚的にも涼感が得られる冷風装置１または２０を提供できる。
【産業上の利用可能性】
【００５４】  本考案の冷風装置は、水道水の蒸発を利用した冷風発生装置として、ミネラル成分の析出による運転の全面停止が起こらず突発的なリスクが低く、また装置の組合せ設置が容易であることから移動・設置・配置変更に柔軟に対応ができるため、季節的な利用需要やイベント等の臨時需要に対して臨機応変に利用できる。
【符号の説明】
【００５５】  １  冷風装置（第１実施形態）
２  自励振動ノズル
３  首振り送風機
４  ポンプ
５  タンク
６  水滴受け装置
７  キャビネット
８  キャビネット外板
９  吸気フィルター
１０  キャビネット底板
１１  ルーバー
１２  キャビネット天板
１３  水位センサ
１４  制御装置
１５  人感センサ
１６  外部連携インターフェース
２０  冷風装置（第２実施態様）
２１  キャビネット（第２実施態様）
２２  ノズルアダプタ付き支柱
２３  風向変更ドーム
２４  噴霧ノズル用ポンプ
２５  噴霧ノズル
２６  下部ミスト
【図１】
0003224290.tif 000003
【図２】
0003224290.tif 000004
【図３】
0003224290.tif 000005
【図４】
0003224290.tif 000006
【手続補正書】
【提出日】令和1年9月27日(2019.9.27)
【手続補正２】
【補正対象書類名】実用新案登録請求の範囲
【補正対象項目名】請求項２
【補正方法】変更
【補正の内容】
【請求項２】
上記受水手段の水滴受け装置が、金属細線を織った網および焼結したもの、金属細線もしくは繊維のウール状の布（不織布）および焼結したもの、金属粉末を圧縮して多孔質とし網目構造を残した焼結したもの、多孔質の発泡金属、を含む保水性を持つメッシュ構造体で構成され、毛細管現象が前記水をタンクに戻す水路の機能を担うことを特徴とする請求項１項に記載の水蒸発式冷風装置。
【手続補正３】
【補正対象書類名】明細書
【補正対象項目名】００１５
【補正方法】変更
【補正の内容】
【００１５】  請求項２は、上記受水手段の水滴受け装置が、金属細線を織った網および焼結したもの、金属細線もしくは繊維のウール状の布（不織布）および焼結したもの、金属粉末を圧縮して多孔質とし網目構造を残した焼結したもの、多孔質の発泡金属、を含む保水性を持つメッシュ構造体で構成され、毛細管現象が前記水をタンクに戻す水路の機能を担うことを特徴とする請求項１項に記載の水蒸発式冷風装置である。